(57)【要約】光ファイバーを伝播する光を偏光させる方法及び装置である。その装置は所定の長さのファイバーブラッグ格子（ＦＢＧ）部をもつ光ファイバーと、横方向の力をそのＦＢＧ部の所定の部分に印加する力の印加機構とを有する。その所定の部分は、その所定の長さのファイバーブラッグ格子部の所定の割合を有している。その所定の割合が１０％以上であるとき、その光ファイバーを通過する光についての２つの偏光状態が得られる。その所定の割合が、格子長の小さな部分、例えば、チャープされた格子長の約１％であるとき、微妙に調整可能な光ファイバー偏光器が備えられる。その装置は、通信ファイバーのような標準的な光ファイバーを用いることができ、単に横方向の力を加えたり取り除いたりすることにより、スイッチのオンオフがなされる能力を含む様々な利点を提供している。
2005502903.tif 000002
【特許請求の範囲】
【請求項１】
光ファイバーを伝播する光を偏光させる装置であって、
所定の長さのファイバーブラッグ格子部をもつ光ファイバーと、
横方向の力を前記ファイバーブラッグ格子部の所定の部分に印加する力の印加機構とを有することを特徴とする装置。
【請求項２】
前記所定の部分は、前記所定の長さのファイバーブラッグ格子部の所定の割合を有することを特徴とする請求項１に記載の装置。
【請求項３】
前記所定の割合は、全格子長の小さな部分であることを特徴とする請求項２に記載の装置。
【請求項４】
前記所定の割合は、約１％を有することを特徴とする請求項３に記載の装置。
【請求項５】
前記所定の割合は、約１０％以上を有し、
前記光のスペクトラルの調整がなされることを特徴とする請求項２に記載の装置。
【請求項６】
前記ファイバーブラッグ格子部は均質であり、
前記装置は、数ナノメータの調整可能な動作範囲をもつことを特徴とする請求項１に記載の装置。
【請求項７】
前記ファイバーブラッグ格子部はチャープ（chirp）され、
前記装置は、チャープされた格子反射スペクトラムに沿って連続的に調整されることを特徴とする請求項１に記載の装置。
【請求項８】
前記光ファイバーは通信光ファイバーであることを特徴とする請求項１に記載の装置。
【請求項９】
前記光ファイバーは高光感度の通信光ファイバーを含むことを特徴とする請求項１に記載の装置。
【請求項１０】
前記光ファイバーは高複屈折の通信光ファイバーを含むことを特徴とする請求項１に記載の装置。
【請求項１１】
前記力が前記力の印加機構により印加される場所を変化させる移動機器をさらに有することを特徴とする請求項１に記載の装置。
【請求項１２】
光ファイバーを伝播する光を偏光させる方法であって、
所定の長さのファイバーブラッグ格子部をもつ光ファイバーを備える工程と、
横方向の力を前記ファイバーブラッグ格子部の所定の部分に印加して前記光ファイバーを伝播する光を偏光させる工程とを有することを特徴とする方法。
【請求項１３】
前記印加された横方向の力を取り除き前記光の偏光をなくす工程をさらに有することを特徴とする請求項１２に記載の方法。
【請求項１４】
前記横方向の力を前記ファイバーブラッグ格子部の所定の部分に印加する工程は、前記所定の長さのファイバーブラッグ格子部の所定の割合に横方向の力を印加することを含むことを特徴とする請求項１２に記載の方法。
【請求項１５】
前記所定の割合は、全格子長の小さな部分を含むことを特徴とする請求項１４に記載の方法。
【請求項１６】
前記所定の割合は、約１％を含むことを特徴とする請求項１５に記載の方法。
【請求項１７】
前記所定の割合は、約１０％以上を含むことを特徴とする請求項１４に記載の方法。
【請求項１８】
光ファイバーを伝播する光を偏光させる装置を制御する方法であって、
所定の長さのファイバーブラッグ格子部をもつ光ファイバーを備える工程と、
横方向の力を前記所定の長さの所定の部分に印加することにより、前記装置のスイッチを入れる工程と、
前記所定の部分に印加された前記力の位置と大きさとの内、いずれか１つ、或いは両方を制御することにより、前記光ファイバーを伝播する光を偏光させる工程と、
前記横方向の力を取り除くことにより、前記装置のスイッチを切る工程とを有することを特徴とする方法。
【発明の詳細な説明】
【技術分野】
【０００１】
関連出願の相互参照
本願は、２００１年６月１４日に出願された米国特許仮出願シリアル番号第６０／２９８，６１８号の優先権を米国特許法第１１９条（ｅ）に基づいて主張するものである。
【０００２】
本発明は一般には偏光の分野に関するものである。特に、限定をすることなく、本発明は光ファイバーを伝播する光の偏光に関するものである。
【背景技術】
【０００３】
従来技術の説明
多くの応用分野において、偏光の純粋な状態を得ると同時に光ファイバーのコアの内側を光が伝わるように維持することは重要である。例えば、１つの重要な応用分野では、外部の光電変調器に光を送信するのに先立ち、その光の偏光を調整する必要がある。
【０００４】
光ファイバーにおいて直線偏光を提供するために知られた１つのアプローチは、特別な光ファイバー、例えば、３Ｍ（登録商標）により製造された特別な偏光ファイバーを利用することである。そのようなファイバーにおいて、偏光の１つの状態は、非常に大きな損失を被る一方、他の状態では被る損失は相対的に小さい。この製造業者によれば、この特別なファイバーが直線で３ｍの長さがあると、２０ｄＢの減衰比を得ることが可能であり、同じ長さを３ｃｍの直径でコイルにして棒状にすると、４０ｄＢを超える減衰比となってしまう。
【０００５】
インライン偏光器を備える他のアプローチでは、研磨されたファイバーカプラ或いはＤ形のファイバーを製造するのに利用される技術を採用している。これらの代替的なアプローチにおいて、ファイバーの平坦な部分がバッファ層と金属吸収層とを含む異なる層でコーティングされている。
【０００６】
上述のアプローチ各々は十分に満足するものではない。例えば、特別な３Ｍ（登録商標）の偏光ファイバーを利用するアプローチでは、むしろ高価な数ｍの長さのファイバーの使用を示唆している。さらにその上、通信分野では、その特別なファイバーの使用に基づいたアプローチに共通の問題は、標準的な通信ファイバーから偏光ファイバーへの光のカップリング効率である。研磨されたファイバーカプラ或いはＤ形のファイバーを製造する技術を利用するアプローチでは、非常に良く制御されたフィルム蒸着とクラッディング厚が要求されるという問題がある。
【０００７】
また、光ファイバーを伝播する光を偏光させるための格子を組み込んだ光ファイバーは、例えば、メルツら（Meltz et al.）による米国特許第５，５４６，４８１号でも知られており、それは、そこに組み込まれた格子タップをもつ非偏光性を保存するファイバーを含んだ単一偏光性のファイバー／増幅器を開示している。メルツら（Meltz et al.）の特許による格子タップは、所定の角度に合わせられ、所定の格子間隔と格子強度とをもち、実質的にはその光ファイバーの全長に伸びて、その光ファイバーの内、所定の波長の範囲にわたり所定量の１つの偏光と結合する一方で、その光ファイバーからの出力光として第２の偏光を通過させる格子長をもつものとして説明されている。
【０００８】
メルツら（Meltz et al.）は前述のような特別なファイバーよりむしろ普通の光ファイバーでガイドされる直線偏光を提供するが、メルツら（Meltz et al.）による偏光はブルースタ（Brewster）角の反射により達成されるものである。その結果、メルツら（Meltz et al.）では、拒絶された偏光状態の光はファイバー外で結合され、使用できないので都合が悪い。
【発明の開示】
【発明が解決しようとする課題】
【０００９】
本発明は特別なファイバーの使用を必要とすることなく、そして、公知の光ファイバー偏光器では一般には見出せない、いくつかの有利な特性を備える光ファイバーを伝播する光を偏光させる方法及び装置を提供する。
【課題を解決するための手段】
【００１０】
本発明に従う光ファイバーを伝播する光を偏光させる装置は、所定の長さのファイバーブラッグ格子部（Fiber Bragg Grating：ＦＢＧ）をもつ光ファイバーと、横方向の力をそのファイバーブラッグ格子部の所定の部分に印加する力の印加機構とを有する。
【００１１】
光ファイバーにファイバーブラッグ格子部を備えることにより、その光ファイバーを伝播する光の２つの偏光状態の分離が、そのファイバーブラッグ格子部の所定の部分に横方向の力を印加することにより得られることが発見された。その結果、より高価な特別なファイバーを用いる必要なく、強い屈折率の変調が得られる標準的な通信ケーブル或いは他の光ファイバーを用いて、偏光を得ることができる。
【００１２】
本発明の実施例に従えば、光の偏光は、力の印加機構により印加される力の位置を変化させることにより、或いは、印加される力の量を制御することにより調整される。特に、ＦＢＧに圧力が加えられる部分が全格子長の小さな部分、例えば、格子長の約１％であるなら、もう１つの偏光についての破壊的な干渉を起こすことなく、１つの偏光についての反射率のスペクトラムにおいて、バンド内スペクトラル孔をもつことが可能である。この場合、その短い長さは、印加される力が小さな圧力が加えられた領域により分離される格子の２つの長い部分の間に位相差を導入するように、それ自身で顕著な反射率を呈するほどには長くない。これに対して、ＦＧＢに圧力が加えられる部分が格子長の約１０％以上であるなら、その圧力が加えられる領域の高速軸と低速軸とに対応する主要な損失ピークと副次的な損失ピークとが観察される。この場合、その圧力が加えられた領域は、それ自身で強い反射率を呈するのに十分でなければならない。即ち、その圧力が加えられた領域は、非対称格子として作用するであろう。例えば、１つの実施例において、均一な格子が提供され、その全長に圧力が加えられる。従って、その格子長の所定の部分に制御された方法でＦＢＧに圧力を加えることにより、光ファイバーを伝播する光の偏光が容易に成し遂げられる。
【００１３】
本発明において、偏光は、各偏光状態のブラッグ（Bragg）波長における違いを導入するために光ファイバーのＦＢＧ部の一部に力を印加することにより得られる。その結果、拒絶された偏光状態の光がそのファイバーの外側で結合されるというよりはむしろ、そのファイバーにおいて後方に導かれる。従って、本発明によれば、望むならば、拒絶された偏光状態の光を利用することが可能になる。さらにその上、本発明に従う偏光させる装置は、各偏光状態に対して反対の効果をもち、２つのスペクトラルバンドで動作する。言い換えると、本発明によれば、第１の動作バンドでは、偏光状態Ｙが伝送され、偏光状態Ｘが反射される。一方、第２の動作バンドでは、その効果は反対となる。ここで、ｘｙ平面はファイバーの伝播軸ｚに対して垂直であり、そして、ｘは力の印加方向に沿った方向として定義される。
【００１４】
本発明のさらなる実施例に従えば、その偏光はＦＢＧ部分に印加される力に依存するので、偏光装置は単にその力を加えたり、或いはその力を解放することにより、容易にスイッチがオンオフされる。
【００１５】
本発明の他の実施例に従えば、ＦＢＧは均質でも良いし、或いは、チャープされていても良い。そのＦＢＧが均質であるとき、その動作範囲は数ナノメータであり、その中心波長の調整はある程度限定されたものとなる。そのＦＢＧがチャープされたものであるとき、偏光効果は狭い波長ウィンドウ内で発生するが、そのチャープされた格子反射スペクトラムにそって連続的に調整が可能である。
【００１６】
本発明のさらに別の実施例に従えば、その光ファイバーは高複屈折のファイバーを有することができる。そのようなファイバーを用いるとき、その結合効率はいくらか小さくなるが、永久的な複屈折によりその装置には力を印加することなく、或いは、標準的な通信ファイバーに要求されるものと比較して小さな力を印加すれば使用することが可能になる。
【００１７】
本発明に従う偏光装置を用いることで、特別な光ファイバーではなくむしろ標準的な光ファイバーを使用することが可能である。その光ファイバーは、強い屈折率の変調が作られる標準的な通信ファイバー或いは他の光ファイバーでも良い。その装置は大量生産の手順にも適したものである。
【００１８】
本発明のさらに付加的な目的、特徴、及び利点については、次に詳細に説明する現在のところ好適であると考えられる実施例と関連して、これ以後、明らかになるであろう。
【発明を実施するための最良の形態】
【００１９】
本発明の現在のところ好適な実施例に従う光ファイバーを伝播する光を偏光させる装置を模式的に示す図である。その装置は参照番号１０によりその全体が指示されており、そこにＦＢＧ部１４をもつ光ファイバー１２を含んでいる。光ファイバー１２は、光が矢１８により示されるようにその光ファイバーに入力される入力端１６と、その光ファイバーの中を伝播する光が矢２４により示されるようにその光ファイバーから出力する出力端２２とを含んでいる。
【００２０】
光ファイバー１２は特定の応用分野のために適した任意の長さと直径とをもっても良いが、標準的な通信ファイバーや標準的な通信ファイバーと結合特性の良い別のファイバーであり、強い屈折率の変調が創成されるような標準的な光ファイバーを有していることが好ましい。光ファイバー１２のＦＢＧ部１４はこれ以後より十分に説明するように、所定の長さの部分を有している。
【００２１】
また、図１に図示されているように、装置１０はさらに横方向の力をＦＢＧ部１４の所定の部分に制御しながら印加する力の印加機構２６を含んでいる。力の印加機構２６は種々の機構の内の、いずれか１つを有していれば良く、そして、圧電或いは磁歪素子、或いはその機器により印加される力の量を制御することが相対的には容易な他の素子を有していることが好ましい。力の印加機構は光ファイバーを伝播する光の各偏光状態のブラッグ波長における違いを導入するために機能する。その力は、光ファイバーの上部から底部へと印加されるか、或いは偏光効果を生み出すために必要な非対称性を備えるために何らかの他の方法で印加される。加えて、これ以後により十分に説明されるように、小さなモータ等のような移動機器が備えられて力の印加機構により力が印加される位置を変更する。この移動機器は図１においては矢２８により模式的に表現されており、光ファイバーと力の印加機構との少なくともいずれかを移動させるように設計される。
【００２２】
特に、光ファイバーが横方向に圧力が加えられるとき、その光ファイバーを通る光の経路は、屈折率とファイバー長との両方の変化のために変えられる。もし、その圧力のかかった領域がＦＢＧを含むなら、これらの効果は、ブラッグ波長での定量的な局部的なシフトを引き起こす。ブラッグ波長シフト量は、その印加された歪み（ε）が等方的ではないなら、偏光に依存する。
【００２３】
歪みとＦＢＧでの反射された波長で誘導された変化との間の関係は、（ｚ方向に平行にファイバー軸があるとき）次のように表現される。
【００２４】
2005502903.tif 000003
【００２５】
2005502903.tif 000004
【００２６】
ここで、添字ｘ、ｙ、ｚは３つの直交軸（図１を参照）を表わしており、ｎeffはファイバーの有効屈折率であり、Ｐ11とＰ12とは光電センサのマトリクス要素（例えば、シリカについて言えば、Ｐ11＝０．１１３、Ｐ12＝０．２５２）である。歪みεiとその影響をうける長さとは、“局部圧力によるファイバーブラッグ格子（ＦＧＢ）特性及びシェイピング（Fiber Bragg Grating (FGB) Characterization and Shaping by Local Pressure）”, C J S de Matos, P Torres, L C G Valente, W Margulis and R Stubbe, Journal of Lightwave Technology, vol. 19, no. 8, pages 1206-1211, August, 2001（これ以降、“ＪＬＴ”論文として言及する）という論文で提案されたモデルを用いることにより印加された力と結び付けられる。
【００２７】
平面歪み：      εz  ＝  ０
【００２８】
その方程式は以下のように書き下される。
【００２９】
2005502903.tif 000005
【００３０】
2005502903.tif 000006
【００３１】
もし、εx＝−２εyであれば、ＪＬＴ論文で提案されたように、次の関係を得ることができる。
【００３２】
2005502903.tif 000007
【００３３】
この方程式は、“ファイバーブラッグ格子における誘導された複屈折効果の解析（Analaysis of Induced Birefringence Effects on Fiber Bragg Gratings）”, R. Gafsi and M A El-Sherif, Optical Fiber Technology, no. 6, pages 299-323 (2000) という論文に記載されたシミュレートされた結果を確認している。
【００３４】
局所的に圧力が加えられたＦＢＧをモデル化するために、１つの偏光についてのΔλBの値が、所望の伝送条件が得られるまで調整される。それ故に、方程式（３）を用いることにより、もう１つの偏光についてのΔλBもまた、シミュレートされる。
【００３５】
４ｃｍの長さの、２．５×１０-4の屈折率変化があり、チャープが−４５ｐｍ／ｍｍであるアンアポダイゼーションされた（unapodized）強い格子を仮定する。そのファイバーコアの有効屈折率がｎeff＝１．４６であるようにとられ、設計波長は１５３０ｎｍである。このような条件下で、格子は〜１．４９ｎｍのバンド幅をもつ。そのファイバー軸はｚ方向に平行であり、その力はｘ軸に沿って加えられることが考慮された。このようにして、方程式（１ａ）と（１ｂ）とから、ΔλBy＞ΔλBxである。用いられた格子構造は、フェーズマスク或いはホログラフィーのアプローチを用いて容易に製造される。
【００３６】
各偏光がどのように伝送されるのか（或いは反射されるのか）について調査するために、次のような偏光因子が定義される。
【００３７】
2005502903.tif 000008
【００３８】
ここで、ＴxとＴyとは夫々、ｘ軸とｙ軸とについての偏光についての格子の伝送である。もし、Ｆ＝０であれば、格子は完全に偏光に独立である。Ｆが正の値であれば、ｘ偏光の光についての伝送がｙ偏光の光のそれよりも大きい。Ｆが負の値であれば、その格子はｙ偏光の光について、伝送モードでは適切なものである。
【００３９】
Ｌ2＝０．２ｍｍと考えて、摂動する小さな部分をもったチャープされたＦＢＧをモデル化した。伝送スペクトラムが図２Ａ〜図２Ｃに示されている。図２Ａの曲線は力が印加されていない場合の両方の偏光状態を表現しており、図２Ｂの曲線は力が印加された場合のｘ偏光を表現しており、図２Ｃの曲線は力が印加された場合のｙ偏光を表現している。この場合には、波長増加ΔλBy＝２ｎｍが考慮され、方程式（１ａ）と（１ｂ）とを用いてもう１つの偏光が計算される。ｙ偏光の光については、ΔλBy＝２ｎｍにおいて圧力が加えられた部分のブラッグ波長を増加させることにより伝送での強い増加が得られることが見られる。この波長増加は３２０ｇｆの横方向の力を加えることで得られる。ｘ偏光の光は重大な破壊的な干渉を誘導するに必要な位相をもちこむには十分ではない程度のブラッグ波長における小さな変化を被っている。Ｙ偏光の光は、〜２２ｐｍのライン幅をもつ狭帯域で伝送される。この場合についての対応する偏光因子Ｆ（方程式４）から、即ち、図３のプロットから、実際には、ｙ偏光の光は固定波長で伝送される光だけである。この特性を用いると、この局所的に圧力が加えられたＦＢＧが高度に選択的な偏光器として用いられる。同じ歪み強度で格子に沿って力を印加する機器を走査することにより、この例では、十分な格子スペクトラム〜１．９ｎｍにわたり動作を調整することが可能である。
【００４０】
摂動部Ｌ2＝１０ｍｍであるときの第２の条件についての結果が図４Ａ〜図４Ｃと図５に図示されている。図４Ａの曲線は力が印加されていない場合の両方の偏光状態を表現しており、図４Ｂの曲線は力が印加された場合のｘ偏光を表現しており、図４Ｃの曲線は力が印加された場合のｙ偏光を表現している。スペクトラル応答における主要な損失ピークと副次的な損失ピークとは圧力が加えられた領域の高速軸と低速軸とに対応しており、〜２ｎｍ程度の偏光による分割と〜６２０ｐｍ程度のライン幅があることが見られる。この場合、考慮されている長さはＬ2＝１０ｍｍであり、波長増加はΔλBy＝２ｎｍである。方程式（１ａ）と（１ｂ）とを適用することにより、もう１つの偏光が計算される。対応する偏光因子Ｆ（図５）は、各偏光について１００％に近い伝送率（反射率）を示している。この特性を用いると、格子は図５においてＦが＋／−１に近い波長において偏光器としてうまく動作する。この構成における動作モードは第１の場合の動作モードとは完全に異なっていることは明らかである。この構成において、格子に圧力が加えられた領域による大きな反射強度は、偏光効果が発生する強いサイドローブをもつために必要とされる。副次的な損失のピークの位置が印加される力の関数であるので、スペクトラルの調整は印加される力を変化させることにより成し遂げられる。それにもかかわらず、１０ｎｍを超えるバンド幅をもったチャープされた格子は日常的に製造可能である。
【００４１】
最後に、印加される力を制御することにより、モデル化された偏光器は単に、力の印加機構により印加される力を印加したり解放したりすることにより、所望の波長に対して、容易にスイッチのオンオフができる。達成可能な究極のバンド幅は、印加される力に直接関係する偏光の分割により制限される。
【００４２】
図６は、本発明の実施例に従う所定長のファイバーブラッグ格子を含む光ファイバーを伝播する光を偏光させる方法４０を図示したフローチャートである。まず、ステップ４２に見られるように、力が所定長のＦＢＧの所定の割合に印加されて偏光器のスイッチをオンにする。その印加された力は制御され、光ファイバーを伝播する光を偏光させる（ステップ４４）。最後に、その偏光器はステップ４６に示されるように印加された力を解放することによりスイッチオフされる。
【００４３】
本発明に従う光ファイバーを伝播する光を偏光させる装置は、標準的な通信ファイバーのような標準的な光ファイバーを用いて容易に構築され、そして、上述のように、特別なファイバーを用いることに依存する偏光器をしのぐ顕著な利点を提供しており、それにはより経済的であることや、標準的な光ファイバーに結合されたときに、より大きな結合効率を備えることが含まれる。加えて、本発明では、拒絶された偏光状態の光は光ファイバーを後方に導かれるので、望むなら、その光は利用可能である。例えば、その装置が偏光状態を厳密に調べるために用いられるなら、１つの偏光は失われるのであるが以前に装置で取得される１つの偏光状態における光量だけではなく、各偏光における光の相対量に関する情報を必要とする。本発明に従う装置はまた、大量生産技術にも適している。
【００４４】
本発明に従うＦＢＧは均質であっても良いし、或いはチャープされていても良い。均質的なＦＢＧに関して、動作範囲は最大で数ナノメータであり、その中心波長の調整にはいくらかの制限がある。チャープされたＦＢＧに関して、偏光効果は相対的に狭い波長だけで発生するが、チャープされた格子反射スペクトラムに沿って連続的に調整される。従って、チャープされたＦＢＧに関しては、装置は偏光の調整可能な選択的狭帯域伝送フィルタとして動作する。また、もし望むなら、通信ファイバーの代わりに高度複屈折のフィルタを用いることも可能である。そのような場合、結合効率は低下するが、永久的な複屈折によりその装置は力を印加せずに、或いは、標準的な通信ファイバーを用いてなされる装置と比較してより小さな力を印加さえすれば使用可能である。
【００４５】
なお、“有する／有した”という用語がこの明細書において用いられるときには、そこに述べられた特徴、整数、ステップ、或いは構成要素の存在を特定するのに用いているが、１つ以上の別の特徴、整数、ステップ、構成要素、或いはそれらのグループの存在や付加を排除するものではない。
【００４６】
ここで説明された事項は、現在のところ好適と考えられている本発明の実施例を構成するものであるが、本発明はその範囲を逸脱することなく、数々の方法で変形できることを理解すべきである。従って、本発明は請求の範囲で必要とされる限りにおいてのみ限定されるべきであることを認識すべきである。
【図面の簡単な説明】
【００４７】
【図１】本発明の現在のところ好適な実施例に従う光ファイバーを伝播する光を偏光させる装置を模式的に示す図である。
【図２Ａ】本発明の実施例に従う、力が印加されていない場合の両方の偏光について、圧力が加えられた領域がｌ＝０．２ｍｍである、アンアポダイゼーションされ（unapodized）チャープされたＦＢＧの伝送スペクトラムを図示するグラフである。
【図２Ｂ】本発明の実施例に従う、力が印加された場合のｘ偏光について、圧力が加えられた領域がｌ＝０．２ｍｍである、アンアポダイゼーションされ（unapodized）チャープされたＦＢＧの伝送スペクトラムを図示するグラフである。
【図２Ｃ】本発明の実施例に従う、力が印加された場合のｙ偏光について、圧力が加えられた領域がｌ＝０．２ｍｍである、アンアポダイゼーションされた（unapodized）チャープされたＦＢＧの伝送スペクトラムを図示するグラフである。
【図３】図２の条件で偏光因子Ｆ（Ｆ＝Ｔx−Ｔy）を図示するグラフである。
【図４Ａ】本発明の実施例に従う、力が印加されていない場合の両方の偏光について、圧力が加えられた領域がｌ＝１０ｍｍである、アンアポダイゼーションされ（unapodized）チャープされたＦＢＧの伝送スペクトラムを図示するグラフである。
【図４Ｂ】本発明の実施例に従う、力が印加された場合のｘ偏光について、圧力が加えられた領域がｌ＝１０ｍｍである、アンアポダイゼーションされ（unapodized）チャープされたＦＢＧの伝送スペクトラムを図示するグラフである。
【図４Ｃ】本発明の実施例に従う、力が印加された場合のｙ偏光について、圧力が加えられた領域がｌ＝１０ｍｍである、アンアポダイゼーションされた（unapodized）チャープされたＦＢＧの伝送スペクトラムを図示するグラフである。
【図５】図４の条件で偏光因子Ｆ（Ｆ＝Ｔx−Ｔy）を図示するグラフである。
【図６】本発明の別の実施例に従う光ファイバーを伝播する光を偏光させる方法を図示したフローチャートである。
【図１】
2005502903.tif 000009
【図２Ａ】
2005502903.tif 000010
【図２Ｂ】
2005502903.tif 000011
【図２Ｃ】
2005502903.tif 000012
【図３】
2005502903.tif 000013
【図４Ａ】
2005502903.tif 000014
【図４Ｂ】
2005502903.tif 000015
【図４Ｃ】
2005502903.tif 000016
【図５】
2005502903.tif 000017
【図６】
2005502903.tif 000018
【国際公開パンフレット】
2005502903.tif 000019
2005502903.tif 000020
2005502903.tif 000021
2005502903.tif 000022
2005502903.tif 000023
2005502903.tif 000024
2005502903.tif 000025
2005502903.tif 000026
2005502903.tif 000027
2005502903.tif 000028
2005502903.tif 000029
2005502903.tif 000030
2005502903.tif 000031
2005502903.tif 000032
2005502903.tif 000033
【国際調査報告】
2005502903.tif 000034